(57)【要約】      （修正有）【課題】表生地１００と裏生地１０１との間に発砲ビ−ズ１０２を封入してなるクッション性作業着１の提供。【解決手段】表生地層と裏生地層との間に発砲ビ−ズが封入（内蔵）されており、作業場所が比較的に高所であったり、又、足場的に不安定な箇所であったりする等で、比較的に高いところから地面に落下したような場合でも、骨折したり擦り傷を負ったり怪我をすることを少なくでき、又、発砲ビ−ズが封入（内蔵）されており、当該封入の発砲ビ−ズは、着用する作業者に合わせてその体にフイットし易く、又、当該封入の発砲ビ−ズは、表生地と裏生地との間で移動して着用前のクッション形状に戻ったり出来るので、膝とか、お尻とか、肘などの特に落下したときに怪我のし易い箇所を保護できる。【選択図】図２
0003123448.tif 000002
【実用新案登録請求の範囲】
【請求項１】
表生地層と裏生地層との間に発砲ビ−ズを封入してなることを特徴とするクッション性作業着。
【請求項２】
発砲ビ−ズが、粒状発砲ポリスチレンビ−ズよりなることを特徴とする、請求項１に記載のクッション性作業着。
【請求項３】
クッション性作業着が、作業上服と作業下服とを有してなることを特徴とする、請求項１又は２に記載のクッション性作業着。
【考案の詳細な説明】
【技術分野】
【０００１】
本考案は、クッション性作業着に関するものである。
【背景技術】
【０００２】
作業着は、その使用場所などに応じて各種の作業着が着用されており、原子力発電所での作業着、滅菌処理が必要な医療・医薬部門での作業着、防災や食品作業での作業着等では、それぞれ要求される事項も異なる。
電気工事、電気通信工事、建設一式工事、とび・土工・コンクリート工事、屋根工事、左官工事、内装仕上げ工事、建具工事、造園工事等の建設工事では、その作業場所が比較的に高所であったり、又、足場的に不安定な箇所であったりする等で、地面に落下して骨折したり擦り傷を負ったりすることがある。
【考案の開示】
【考案が解決しようとする課題】
【０００３】
本考案は、上記のような特にその作業場所が比較的に高所であったり、又、足場的に不安定な箇所であったりする等の場所で使用できる作業着を提供することを目的としたものである。
本考案の他の目的や新規な特徴については本件明細書及び図面の記載からも明らかになるであろう。
【課題を解決するための手段】
【０００４】
本考案の実用新案登録請求の範囲は、次の通りである。
（請求項１）表生地と裏生地との間に発砲ビ−ズを封入してなることを特徴とするクッション性作業着。
（請求項２）発砲ビ−ズが、粒状発砲ポリスチレンビ−ズよりなることを特徴とする、請求項１に記載のクッション性作業着。
（請求項３）クッション性作業着が、作業上服と作業下服とを有してなることを特徴とする、請求項１又は２に記載のクッション性作業着。
【考案の効果】
【０００５】
本考案の作業着は、表生地層と裏生地層との間に発砲ビ−ズが封入（内蔵）されており、仮に、前記のようなその作業場所が比較的に高所であったり、又、足場的に不安定な箇所であったりする等で、比較的に高いところから地面に落下したような場合でも、骨折したり擦り傷を負ったり怪我をすることを少なくでき、又、発砲ビ−ズが封入（内蔵）されており、当該封入の発砲ビ−ズは、着用する作業者に合わせてその体にフイットし易く、又、当該封入の発砲ビ−ズは、表生地と裏生地との間で移動して着用前のクッション形状に戻ったり出来るので、膝とか、お尻とか、肘などの特に落下したときに怪我のし易い箇所を保護でき、特に、こうした膝とか、お尻とか、肘などの特に落下したときに怪我のし易い箇所に発砲ビ−ズを厚めに封入（内蔵）して、当該怪我のしやすい箇所の安全・保護に適切に対処できると共に、前記保形性に優れていることから作業者が代わってもフイットし易く着用が可能で保護することができる。
又、当該作業着は、断熱性にも優れ、表生地層や裏生地層に工夫することにより、通気性や耐水性や強度などに優れた作業着を提供できる。
【考案を実施するための最良の形態】
【０００６】
次に、本考案の実施例を図面に基づいて説明する。
【実施例】
【０００７】
図１及び図２に示すように、作業着１は、表生地層１００と裏生地層１０１とこれら表生地層１００と裏生地層１０１との間に封入された発砲ビ−ズ（層）１０２とを備えてなる。
当該発砲ビ−ズ（層）１０２は、クッション性能が良いこと、保形性に優れていること、量産され安価であることなどから粒状発砲ポリスチレンビ−ズよりなることが好ましい。当該粒状発砲ポリスチレンビ−ズは、例えば、その粒径が１〜２ｍｍで、発泡倍率が３０倍のものが挙げられる。
【０００８】
当該作業着１を構成する表生地層１００としては、各種布帛を用いることができる。当該布帛としては、例えば、通気性が良く、軽量で、透湿性があり、コストも安い等の点から、不織布を用いることが好ましい。
特に、フラッシュ紡糸法による不織布、メルトブロー法による不織布は、バリア性、耐水性、透湿性、軽量性に優れているので、当該作業着（保護衣）に適している。
当該フラッシュ紡糸法による不織布は、ポリオレフィン、ポリスチレン、ポリエステル等を素材としたものを挙げることができる。当該フラッシュ紡糸法による不織布は、例えば、ポリオレフィンポリマ−を高温、高圧下で溶剤に溶解した後、低温、低圧域に吐出すると同時に溶媒をフラッシュさせた三次元的、かつ網状にフィブリル化したポリオレフィン繊維とし、次いでこの繊維を板状又は網状の支持体に堆積させ、ウェブ化した後、エンボスロールまたはカレンダーロールにて熱接合することにより製造されることができるものである。当該フラッシュ紡糸法によるポリオレフィン繊維の不織布は、微細繊維より構成されているためバリア性に優れ、かつ、引張強力及び引裂強力が大きいため、特に複合しなくてもそのままで用いることができるが、他の布帛あるいは他の不織布との複合品であってもよい。
当該メルトブロー法による不織布とは、ポリオレフィン、ポリエステル、ポリアミド、ポリスチレン等のポリマーを溶融し、高温高圧の空気或いは蒸気等により噴射して得られるものをいい、微細繊維からなる不織布であって、構成する繊維が微細であるため、フラッシュ紡糸法による不織布と同等のバリア性を有する不織布として知られている。メルトブロー法による不織布は微細ではあるが、フラッシュ紡糸法による不織布と比較して不織布としての引張強力が不足するため、例えば他の不織布、布帛、ワリフ等との積層あるいは複合することにより補強することが好ましい。
当該他の不織布としては、例えば、スパンボンド不織布、スパンレース不織布、ニードルパンチ不織布が挙げられる。
【０００９】
当該作業着１を構成する裏生地層１０１としては、前記表生地層１００と同様のものが好ましく、各種布帛を用いることができ、当該布帛としては、通気性が良く、軽量で、透湿性があり、コストも安い等の点から、不織布を用いることが好ましく、特に、上記のようなフラッシュ紡糸法による不織布、メルトブロー法による不織布は、バリア性、耐水性、透湿性、軽量性に優れているので、当該作業着（保護衣）に適している。
【００１０】
当該作業着１は、発砲ビ−ズ１０２の封入口を設け、通常の衣類の場合と大差なく、一般的な本縫い或いはオーバーロック等の通常のミシンによる縫製或いは超音波接合により、仕立てることができる。表生地層１００や裏生地層１０１が、不織布であると超音波接合で比較的簡単に熱接合することができる。
当該作業着１は、図２に示すように、発砲ビ−ズが充填された複数の区画に分割することもできる。その際に、例えば、膝とか、お尻とか、肘などの特に落下したときに怪我のし易い箇所に発砲ビ−ズを厚めに封入（内蔵）して、当該怪我のしやすい箇所の安全・保護に適切に対処できるようにしてもよい。
当該作業着１は、上衣１０５と下衣１０６が接続されているいわゆる一体型のツナギ服でも、図示のように、上衣１０５と下衣１０６が分離されているセパレート服であってもよい。作業衣１が上衣１０５と下衣１０６とに分離して構成されていると、着用に便利であり、一方、上衣１０５と下衣１０６とが一体化していると、上衣と下衣に分離している場合に比べて安全性が高くなる。
肩から腰付近までの長さのジャンパータイプのものであってもよい。
後述のように、手袋や安全保護帽、マスク等を着用して作業をしている場合を考慮して脱衣が容易なディスポーサブル衣服とすることができる。
当該ディスポーザブル衣服は、着脱のための開閉部１０７として、ジッパー、ボタン、ホック、ファスナー等を取り付けることができるが、ミシン掛の縫糸を外部に露出しておき、当該縫糸をほどいて抜き取り、短時間に縫製組織を分解し、作業服を脱ぐことができるようにしておいてもよい。
当該作業着１は、図３に示すように、上衣１０５にフード１０８を装備してなる作業着であってもよい。当該上衣１０５にフード１０８を装備していると、頭部や顔面を防護することができる。
当該作業着１は、表生地層１００や裏生地層１０１に、透湿性コーティングを施すことができる。又、静電気による帯電処理や難燃性処理を施すことができる。
当該作業着１は、スパンデックス繊維により構成する等により、伸縮性を付与するようにすることが好ましい。
当該作業着１に、夜間の視認性・安全性の強化から光反射テープを貼付してもよい。
【００１１】
図１に示すように、当該作業着１を着用しつつ、安全保護帽２等を併用して着用して前記のような工事にて完全装備を果たすことができる。
図１に示すように、手袋３を着用して、転んだりした時に、手を付いても怪我をせず、又、長靴４を着用して、水の出た場所などでの作業に支障を来さないようにすることが出来る。
作業者１は、安全保護帽２を被ることにより、転落などの際に頭部の打撲から保護することが出来る。
【００１２】
図示のように、当該安全保護帽２の正面には、ビ−ムライト５が取り付けられ、夜間作業等で視認性を高め視界などが良く見えるようにしてある。
当該ビ−ムライト５は、例えば、基板５００に搭載された例えば発光ダイオードからなる光源５０１から光が供されると、当該前方に向けて放射される前方光は、図示のように、レンズ５０２にて平行光となって放射され、一方、光源５０１から側部方向に向けて放射される側部光は、反射面５０３にて反射して前方に放射され、ビ−ムライト５を形成するようになっている。
尚、ヘッドランプのようなものでもよい。
【００１３】
図１に示すように、当該安全保護帽２には、図１及び図５に示すような保護メガネ６を取り付ける。当該保護メガネ６は、例えば、硬質アクリル樹脂により構成してクリアな透明性を確保するようにするとよい。又、当該保護メガネ６は、安全保護帽２に固定してもよい。
当該保護メガネ６は、図５に示すような側面部分６００が比較的に大きく側面からの物体の飛来事故から保護できるような形態のものがよく、図示のように、当該安全保護帽２に着脱自在に取付しておく形が好ましい。
【００１４】
図１に示すように、作業者は、保護マスク７をして防塵などの安全保護を図ることができる。
当該保護マスク７は、図６〜図８に示すように、マスク下部収納部７００に、例えばキトサン、活性炭、竹炭などの吸着処理剤７０１を収納して、通気口７０２からのエアーをフイルターするようにすればよい。当該保護マスク７は、例えば、プラスチックスにより構成される。
当該保護マスク７の他の例を図９に示す。当該保護マスク７は、自己粘着テープ７０３により、前記のようなキトサン、活性炭、竹炭などの吸着処理剤７０１を取付するようにして、より簡略化したマスクとするようにすれば、コストも掛からずに防塵などの効果を奏することが出来る。
【００１５】
本考案は上記実施例に限定されず、適宜変更が可能である。
【産業上の利用可能性】
【００１６】
本考案は、建設工事の他の分野の作業着（作業衣）としても適用できる。
【図面の簡単な説明】
【００１７】
【図１】本考案の実施例を示す作業着の側面図である。
【図２】本考案の実施例を示す作業着の正面図及び一部断面図である。
【図３】本考案の他の実施例を示す作業着の正面図である。
【図４】本考案に使用されるビ−ムライトの断面図である。
【図５】（Ａ）本考案に使用される他の例を示す保護メガネの側断面図である。（Ｂ）同保護メガネの構成図である。
【図６】本考案に使用される保護マスクの正面図である。
【図７】本考案に使用される保護マスクの平面図である。
【図８】本考案に使用される保護マスクの断面図である。
【図９】（Ａ）本考案に使用される他の例を示す保護マスクの断面図である。（Ｂ）本考案に使用される他の例を示す保護マスクの平面図である。
【符号の説明】
【００１８】
１    作業着
１００    表生地
１０１    裏生地
１０２    発砲ビーズ
１０５    上衣
１０６    下衣
【図１】
0003123448.tif 000003
【図２】
0003123448.tif 000004
【図３】
0003123448.tif 000005
【図４】
0003123448.tif 000006
【図５】
0003123448.tif 000007
【図６】
0003123448.tif 000008
【図７】
0003123448.tif 000009
【図８】
0003123448.tif 000010
【図９】
0003123448.tif 000011